(57)【要約】      （修正有）【課題】スピーカー機能を有するだけでなく、ランプの機能を高める多機能ステレオ壁灯を提供する。【解決手段】多機能ステレオ壁灯は、ランプ体１０と、ランプ体１０上に設けた装着部と、ランプ体１０内に設けたランプ灯とを備える。ランプ体１０は、装着部により壁又は搭載物上に取付けられる。ランプ体１０は、ランプハウジングと、ランプハウジング内に設けた充電台と、光源アセンブリとを有する。ランプ灯は、充電台上に設置される。ランプ体１０上には、感光装置が設けられる。感光装置は、光源部材に接続される。ランプハウジングの一側面上には、ランプハウジングを開くか、ランプハウジングを閉じて密封する回転式ドア１６が取付けられる。ランプ灯は、ベース、照明装置、ステレオ装置、ランプホルダ、ランプカバー及び調光装置を有する。【選択図】図１
0003226392.tif 000002
【実用新案登録請求の範囲】
【請求項１】
ランプ体と、前記ランプ体に設けた装着部と、前記ランプ体内に設けたランプ灯とを備えた多機能ステレオ壁灯であって、
前記ランプ体は、前記装着部により壁又は搭載物上に取付けられ、
前記ランプ体は、ランプハウジングと、前記ランプハウジング内に設けた充電台と、光源アセンブリとを有し、
前記ランプ灯は、前記充電台上に設置され、
前記ランプ体上には、感光装置が設けられ、
前記感光装置は、光源部材に接続され、
前記ランプハウジングの一側面上には、前記ランプハウジングを開くか、前記ランプハウジングを閉じて密封する回転式ドアが取付けられ、
前記ランプ灯は、ベース、照明装置、ステレオ装置、ランプホルダ、ランプカバー及び調光装置を有し、
前記ステレオ装置は、前記ベース内に取付けられ、
前記ランプホルダは、前記ステレオ装置上方の前記ベース上に取付けられ、
前記照明装置は、前記ランプホルダ上に取付けられ、
前記ランプカバーは、前記照明装置の外側の前記ランプホルダ上に取付けられ、
前記調光装置は、前記ランプホルダ上に取付けられるとともに、前記照明装置に接続され、
前記調光装置は、前記照明装置のオン・オフ及び光の明るさを調節し、
前記ステレオ装置には、Ｂｌｕｅｔｏｏｔｈ（登録商標）受信装置が設けられ、
前記ベースの外表面には、前記ステレオ装置のオン・オフを制御して音量の大きさを調節する制御ユニットが設けられ、
移動可能な照明機器を実際に使用する際、回転式ドアの一側から前記ランプ灯を取り出して独立して使用し、
前記感光装置は、光の強度を感知し、前記光源アセンブリを発光させることを特徴とする多機能ステレオ壁灯。
【請求項２】
前記装着部は、Ｌ字状に成形されるとともに、側板と、前記側板の内側面に接続される底板とを有し、
前記側板は、ランプフレームの外側面上に取付けられ、
前記底板は、前記ランプフレームの底端面上に延設されることを特徴とする請求項１に記載の多機能ステレオ壁灯。
【請求項３】
前記ランプハウジングの外側面上又は頂端面上に取付けられた掛耳をさらに備えることを特徴とする請求項１に記載の多機能ステレオ壁灯。
【請求項４】
前記ランプハウジングの頂部には、中空ランプヘッドが設けられ、
前記ランプハウジングは、前記中空ランプヘッドに連通し、
前記回転式ドアの一側のランプフレーム上には、敷居が設けられ、
前記ランプハウジングの内側底面は、敷居の頂面より低いことを特徴とする請求項３に記載の多機能ステレオ壁灯。
【請求項５】
前記ランプハウジングは、ランプフレームと、前記ランプフレーム上に取付けた複数の透光板と、を有し、
前記透光板は、前記ランプフレームを密封することを特徴とする請求項１に記載の多機能ステレオ壁灯。
【請求項６】
前記透光板の外側には、複数の装飾杆が設けられ、
前記装飾杆は、前記透光板の位置拘束、保護及び装飾を行うことを特徴とする請求項５に記載の多機能ステレオ壁灯。
【請求項７】
前記回転式ドアは、ランプフレームと、前記ランプフレーム上に取付けられた透光板と、を有し、
前記回転式ドアの一側は、ドア枠上に可動可能に取り付けられ、他方の外側端面上にはピンが設けられ、前記ランプフレーム上には、前記ピンに対応する係止孔が形成され、
前記ピンは、前記係止孔に挿入されることを特徴とする請求項１に記載の多機能ステレオ壁灯。
【考案の詳細な説明】
【技術分野】
【０００１】
本考案は、照明器具に関するものであり、さらに詳しくは、多機能ステレオ壁灯に関するものである。
【背景技術】
【０００２】
壁灯は、室内の壁面に取付けた補助照明装飾ランプであり、環境を優雅で華麗なものにすることができるため、徐々に人気が高まっている。従来の壁灯の種類及び様式には様々なものがあり、変色壁灯、ベッドサイドランプ、ミラーライトなどが代表的なものである。しかし、従来の壁灯は、単一の照明機能を有するものしか無く、壁灯を取付けると移動させて使用することができない上、構造が単純で、実用的でないという問題点が指摘されてきた。
【考案の概要】
【考案が解決しようとする課題】
【０００３】
従って、本考案の課題は、照明機能しか無く、しかも、移動させることもできず、機能が単一で、構造が単純であった従来技術に係る壁灯の問題を改善することが可能な多機能ステレオ壁灯を提供することにある。
【課題を解決するための手段】
【０００４】
そこで、本考案者は、本考案の前記課題を解決するため、鋭意検討を重ねた結果、ランプ体と、ランプ体に設けた装着部と、ランプ体内に設けたランプ灯と、ステレオ装置とを特定の配置により設けることにより、前記課題を解決できることに着目し、かかる知見に基いて本考案に想到するに到った。
【０００５】
かくして、本考案の要旨は、次の（１）〜（７）に記載の通りのものである。
（１）ランプ体と、前記ランプ体に設けた装着部と、前記ランプ体内に設けたランプ灯とを備えた多機能ステレオ壁灯であって、
前記ランプ体は、前記装着部により壁又は搭載物上に取付けられ、
前記ランプ体は、ランプハウジングと、前記ランプハウジング内に設けた充電台と、光源アセンブリとを有し、
前記ランプ灯は、前記充電台上に設置され、
前記ランプ体上には、感光装置が設けられ、
前記感光装置は、光源部材に接続され、
前記ランプハウジングの一側面上には、前記ランプハウジングを開くか、前記ランプハウジングを閉じて密封する回転式ドアが取付けられ、
前記ランプ灯は、ベース、照明装置、ステレオ装置、ランプホルダ、ランプカバー及び調光装置を有し、
前記ステレオ装置は、前記ベース内に取付けられ、
前記ランプホルダは、前記ステレオ装置上方の前記ベース上に取付けられ、
前記照明装置は、前記ランプホルダ上に取付けられ、
前記ランプカバーは、前記照明装置の外側の前記ランプホルダ上に取付けられ、
前記調光装置は、前記ランプホルダ上に取付けられるとともに、前記照明装置に接続され、
前記調光装置は、前記照明装置のオン・オフ及び光の明るさを調節し、
前記ステレオ装置には、Ｂｌｕｅｔｏｏｔｈ（登録商標）受信装置が設けられ、
前記ベースの外表面には、前記ステレオ装置のオン・オフを制御して音量の大きさを調節する制御ユニットが設けられ、
移動可能な照明機器を実際に使用する際、回転式ドアの一側から前記ランプ灯を取り出して独立して使用し、
前記感光装置は、光の強度を感知し、前記光源アセンブリを発光させることを特徴とする多機能ステレオ壁灯。
（２）前記装着部は、Ｌ字状に成形されるとともに、側板と、前記側板の内側面に接続される底板とを有し、
前記側板は、ランプフレームの外側面上に取付けられ、
前記底板は、前記ランプフレームの底端面上に延設されることを特徴とする（１）に記載の多機能ステレオ壁灯。
（３）前記ランプハウジングの外側面上又は頂端面上に取付けられた掛耳をさらに備えることを特徴とする（１）に記載の多機能ステレオ壁灯。
（４）前記ランプハウジングの頂部には、中空ランプヘッドが設けられ、前記ランプハウジングは、前記中空ランプヘッドに連通し、前記回転式ドアの一側のランプフレーム上には、敷居が設けられ、前記ランプハウジングの内側底面は、敷居の頂面より低いことを特徴とする（３）に記載の多機能ステレオ壁灯。
（５）前記ランプハウジングは、ランプフレームと、前記ランプフレーム上に取付けた複数の透光板と、を有し、前記透光板は、前記ランプフレームを密封することを特徴とする（１）に記載の多機能ステレオ壁灯。
（６）前記透光板の外側には、複数の装飾杆が設けられ、前記装飾杆は、前記透光板の位置拘束、保護及び装飾を行うことを特徴とする（５）に記載の多機能ステレオ壁灯。
（７）前記回転式ドアは、ランプフレームと、前記ランプフレーム上に取付けられた透光板と、を有し、前記回転式ドアの一側は、ドア枠上に可動可能に取り付けられ、他方の外側端面上にはピンが設けられ、前記ランプフレーム上には、前記ピンに対応する係止孔が形成され、前記ピンは、前記係止孔に挿入されることを特徴とする（１）に記載の多機能ステレオ壁灯。
【考案の効果】
【０００６】
本考案の多機能ステレオ壁灯は、移動可能なランプ体と、ランプ体内に取付けた壁灯と、感光装置と、光源部材と、を設置することにより、上述した壁灯を壁ランプの光源として使用することができる上、独立した雰囲気を良くするナイトライト又は移動可能なライトとして使用することもできる。ランプ体自体は独立した照明器具として使用することもできる。また、本考案の壁灯は、様々な使用方式を有するだけでなく、多種類の様々な環境又は場面で使用することもでき、ランプ体及び壁灯を十分に利用し、製品の利用率を大幅に高めることもできる。本考案の多機能ステレオ壁灯は、屋外及び室内の様々なランプに応用することができるため、応用範囲が広い。また、本考案の多機能ステレオ壁灯は、「Ｂｌｕｅｔｏｏｔｈ」のスピーカー機能を有するだけでなく、ランプの機能を高めることもできる。そのため、実用的価値が高く、普及させる価値がある。
【図面の簡単な説明】
【０００７】
【図１】本考案の一実施形態に係る多機能ステレオ壁灯を示す斜視図である。
【図２】図１の多機能ステレオ壁灯のランプ灯を取り出した後の状態を示す分解斜視図である。
【図３】図１の多機能ステレオ壁灯のランプ灯の内部構造を示す説明図である。
【図４】図１の多機能ステレオ壁灯を示す側面図である。
【図５】図４の多機能ステレオ壁灯を示す平面図である。
【考案を実施するための形態】
【０００８】
以下、図面により、本考案を具体的に説明する。もっとも、本考案は、かかる図面により限定されるものではない。
【０００９】
図１〜図５を参照する。図１〜図５に示すように、本考案の一実施形態に係る多機能ステレオ壁灯は、少なくともランプ体１０と、ランプ体１０上に取付けられた掛耳２０と、ランプ体１０内に設けたランプ灯３０と、を含む。上述したランプ体１０は、ランプハウジング１１と、ランプハウジング１１内に設けた充電台１２と、光源アセンブリ（図示せず）と、を含む。上述したランプ灯３０は、充電台１２上に取付けられる。充電台１２は、ランプ灯３０を位置決めさせることができる上、ランプ灯３０を充電させることができる。また、上述したランプ体１０上には、感光装置（図示せず）が設けられる。上述した感光装置は、光源部材に接続される。照明ランプを移動させるとき、ランプ体１０内からランプ灯３０を取出し、照明ランプを移動させて使用することができる。ランプ灯３０を取り出した後、上述した感光装置は、光の強度を感知し、光源部材のオン・オフを行う。
【００１０】
上述したランプハウジング１１は、ランプフレーム１３と、ランプフレーム１３上に取付けられた複数の透光板１４と、を含む。上述した透光板１４は、ランプフレーム１３を密封し、水気、埃がランプハウジング１１内に進入することを防ぐ。また、上述した透光板１４の外側には、複数の装飾杆１５が設けられる。上述した装飾杆１５は、外観を装飾するとともに、透光板１４を位置拘束して保護する。上述したランプハウジング１１の一側には、回転式ドア１６が取付けられる。上述した回転式ドア１６は、ドア枠と、ドア枠内に取り付けられた透光板１４と、を含む。回転式ドア１６は、一側が回転軸を介してランプフレーム１３上に可動可能に取り付けられ、他方の外側端面上にはピン１７が設けられる。ランプフレーム１３上には、ピン１７に対応する係止孔１８が形成される。上述した回転式ドア１６は、回転させて開閉する。回転式ドア１６が閉じられると、上述したピン１７が上述した係止孔１８内に挿入される。また、ランプフレーム１３上には、上述した回転式ドア１６の底端面に対応した敷居１３３が設けられる。敷居１３３の高さが、ランプハウジング１１の内側底面より高いため、ランプハウジング１１内にランプ灯３０を確実に取付けることができる。
【００１１】
本実施形態のランプフレーム１３の外側面上には、装着部が設けられる。装着部は、Ｌ字状に成形されるとともに、側板１３１と、側板１３１の内側面に接続された底板１３２と、を含む。上述した側板１３１は、ランプフレーム１３の外側面上に取付けられる。上述した底板１３２は、ランプフレーム１３の底端面上に延設される。上述した側板１３１は、壁又はその他装着位置上に固定される。上述した底板１３２は、壁面灯に搭載される。上述したランプハウジング１１の頂部には、中空ランプヘッド１９が設けられる。上述した中空ランプヘッド１９の外側面には、複数の装飾孔が形成される。上述したランプハウジング１１は、上述した中空ランプヘッド１９に連通する。ランプ灯３０の光線は、装飾孔から出射される。上述した掛耳２０は、中空ランプヘッド１９上に取付けられ、掛耳２０の設計により、ランプを吊下げことができる上、容易に手で持つことができるため、ランプの応用範囲が広がる。
【００１２】
上述したランプ灯３０は、ベース３１、照明装置３２、ステレオ装置３３、ランプホルダ３４、ランプカバー３５及び調光装置３６を含む。上述したステレオ装置３３は、ベース３１内に取付けられる。ランプホルダ３４は、ステレオ装置３３上方のベース３１上に取付けられる。照明装置３２は、ランプホルダ３４上に取付けられる。ランプカバー３５は、照明装置３２の外側のランプホルダ３４上に取付けられる。上述した調光装置３６は、ランプホルダ３４上に取付けられるとともに、照明装置３２に接続される。調光装置３６は、照明装置３２のオン・オフ及び光の明るさを調節する。照明装置３２の明るさ調整は、電流の大きさを制御して行うか、照明装置３２を昇降させることにより照明装置３２の長さを調節して行ってもよい。
【００１３】
上述したステレオ装置３３には、Ｂｌｕｅｔｏｏｔｈ（登録商標）受信装置が設けられ、「Ｂｌｕｅｔｏｏｔｈ」を介して携帯電話など外部の端末装置と信号接続し、音声信号の切換え、再生を行う。また、上述したベース３１の外表面には、ステレオ装置３３のオン・オフ及び音量の大きさを調節する制御ユニットが設けられる。また、本考案の多機能ステレオ壁ランプは、壁ランプとして使用することができるだけでなく、ガーデンライト、ポールライト、門柱灯など、様々な照明機器に広く利用することもできる。
【００１４】
本実施形態の多機能ステレオ壁灯を実際に使用する場合、ランプ灯３０を壁ランプの光源として使用することができる。回転式ドア１６のピン１７を開いてから、回転式ドア１６からランプ灯３０を取り出し、ランプ灯３０を移動可能なランプとして使用するか、雰囲気を良くするナイトライトなどとして単独で使用することができる。ランプハウジング１１からランプ灯３０を取り出すと、ランプハウジング１１の明るさが下がり、上述した感光装置が暗くなったことを感知すると、ランプハウジング１１内の光源アセンブリを起動して点灯し、ランプ体１０自体を特色のある壁ランプとして使用してもよい。
【００１５】
上述したことから分かるように、本考案は、移動可能なランプ体１０と、ランプ体１０内に取付けたランプ灯３０と、感光装置と、光源部材と、を設置することにより、上述したランプ灯３０を壁ランプの光源として使用することができる上、独立した雰囲気を良くするナイトライト又は移動可能なライトとして使用することもできる。ランプ体１０自体は独立した照明器具として使用することもできる。また、本考案の壁灯は、様々な使用方式を有するだけでなく、多種類の様々な環境又は場面で使用することもでき、ランプ体１０及びランプ灯３０を十分に利用し、製品の利用率を大幅に高めることもできる。本考案の多機能ステレオ壁灯は、屋外及び室内の様々なランプに応用することができるため、応用範囲が広い。また、本考案の多機能ステレオ壁灯は、「Ｂｌｕｅｔｏｏｔｈ（登録商標）」のスピーカー機能を有するだけでなく、ランプの機能を高めることもできる。そのため、実用的価値が高く、普及させる価値がある。
【符号の説明】
【００１６】
１０  ランプ体
１１  ランプハウジング
１２  充電台
１３  ランプフレーム
１４  透光板
１５  装飾杆
１６  回転式ドア
１７  ピン
１８  係止孔
１９  中空ランプヘッド
２０  掛耳
３０  ランプ灯
３１  ベース
３２  照明装置
３３  ステレオ装置
３４  ランプホルダ
３５  ランプカバー
３６  調光装置
１３１  側板
１３２  底板
１３３  敷居
【図１】
0003226392.tif 000003
【図２】
0003226392.tif 000004
【図３】
0003226392.tif 000005
【図４】
0003226392.tif 000006
【図５】
0003226392.tif 000007